(57)【要約】【課題】  書き換え型光ディスクの推定残り記録可能回数と光ディスクの記録品質の劣化状態とをユーザに知らせて、テレビ放送番組等の予約録画時の記録ミスを防止することができるようにする。【解決手段】  ディスク装置のファームウェア設計時に、光ディスクのデータ記録領域の所定アドレスから最終アドレスまでの記録、再生、消去を繰り返して、ＭＩＤ毎の複数の光ディスクの記録回数を蓄積してＭＩＤ毎の複数の光ディスクの記録回数の統計を取り、記録回数による光ディスクの劣化推定式を算出してＭＩＤ毎の光ディスクの平均記録可能回数を記憶し、光ディスクへの情報データの記録時に、光ディスクのＲＭＡに記録されているＭＩＤと記録回数と当該ＭＩＤの光ディスクの記録可能回数とを比較し、光ディスクの記録回数が当該光ディスクの記録可能回数内であるか否かを判別して判別結果を表示するようにする。【選択図】        図４
2006196101.tif 000002
【特許請求の範囲】
【請求項１】
書き換え型光ディスクに情報データを記録再生するディスク装置であって、
ディスク装置のファームウェア設計時に、光ディスクのＲＭＡに記録されているＲＭＤを更新し、光ディスクのデータ記録領域の所定アドレスから最終アドレスまでの記録と消去とを繰り返して、ＭＩＤ毎の複数の光ディスクの記録可能回数を蓄積する蓄積手段と、前記蓄積手段により蓄積されたＭＩＤ毎の複数の光ディスクの記録可能回数の統計を取り、ＭＩＤ毎の光ディスクの記録回数に対する劣化推定式を算出して、ＭＩＤ毎の光ディスクの記録可能回数を算出する算出手段と、前記算出手段により算出されたＭＩＤ毎の光ディスクの記録可能回数を記憶する記憶手段と、光ディスクへの情報データの記録時に、光ディスクのＲＭＡに記録されているＭＩＤと記録回数とを読み出す読出手段と、前記読出手段により読み出された光ディスクの記録回数と前記記憶手段に記憶されている当該ＭＩＤの光ディスクの記録可能回数とを比較して、光ディスクの記録回数が当該ＭＩＤの光ディスクの記録可能回数内であるか否かを判別する判別手段と、前記判別手段により光ディスクの記録回数が当該ＭＩＤの光ディスクの記録可能回数内であると判別された場合、光ディスクの推定残り記録可能回数を表示し、前記判別手段により光ディスクの記録回数が当該ＭＩＤの光ディスクの記録可能回数内でないと判別された場合、光ディスクの記録品質が劣化している旨を表示する表示手段と、前記判別手段により光ディスクの記録回数が当該ＭＩＤの光ディスクの記録可能回数内であると判別された場合、光ディスクに情報データを上書き記録して、光ディスクのＲＭＡに記録されている記録回数に１を加算して記録回数を更新する更新手段とを備えたことを特徴とするディスク装置。
【請求項２】
書き換え型光ディスクに情報データを記録再生するディスク装置であって、
ディスク装置のファームウェア設計時に、光ディスクのＲＭＡに記録されているＲＭＤを更新し、光ディスクのデータ記録領域の所定アドレスから最終アドレスまでの記録と消去とを繰り返して、ＭＩＤ毎の複数の光ディスクの記録可能回数を蓄積する蓄積手段と、前記蓄積手段により蓄積されたＭＩＤ毎の複数の光ディスクの記録可能回数の統計を取り、ＭＩＤ毎の記録回数に対する光ディスクの劣化推定式を算出して、ＭＩＤ毎の光ディスクの記録可能回数を算出する算出手段と、前記算出手段により算出されたＭＩＤ毎の光ディスクの記録可能回数を記憶する記憶手段と、光ディスクへの情報データの記録時に、光ディスクのＲＭＡに記録されているＭＩＤと記録回数とを読み出す読出手段と、前記読出手段により読み出された光ディスクの記録回数と前記記憶手段に記憶されている当該ＭＩＤの光ディスクの記録可能回数とを比較して、光ディスクの記録回数が当該ＭＩＤの光ディスクの記録可能回数内であるか否かを判別する判別手段と、前記判別手段の判別結果を表示する表示手段とを備えたことを特徴とするディスク装置。
【請求項３】
前記判別手段により光ディスクの記録回数が当該ＭＩＤの光ディスクの記録可能回数内であると判別された場合、光ディスクに情報データを上書き記録し、光ディスクのＲＭＡに記録されている記録回数に１を加算して、光ディスクの記録回数を更新する更新手段を更に備えたことを特徴とする請求項２記載のディスク装置。
【請求項４】
前記表示手段は、前記判別手段により光ディスクの記録回数が当該ＭＩＤの光ディスクの記録可能回数内であると判別された場合、光ディスクの推定残り記録可能回数を表示する表示手段であることを特徴とする請求項２記載のディスク装置。
【請求項５】
前記表示手段は、前記判別手段により光ディスクの記録回数が当該ＭＩＤの光ディスクの記録可能回数内でないと判別された場合、光ディスクの記録品質が劣化している旨を表示する表示手段であることを特徴とする請求項２記載のディスク装置。
【発明の詳細な説明】
【技術分野】
【０００１】
本発明は、光ディスクに情報データを記録再生するディスク装置に係り、特にＤＶＤ−ＲＷ（Ｄｉｇｉｔａｌ  Ｖｅｒｓａｔｉｌｅ  Ｄｉｓｃ−ＲｅＷｒｉｔａｂｌｅ）等の書き換え型光ディスクの推定残り記録可能回数をユーザに知らせることができるディスク装置に関する。
【背景技術】
【０００２】
一般に、ＤＶＤ−ＲＷ等の書き換え型光ディスクは、規格上では１０００回以上書き換え記録することができることになっている。しかし、光ディスクの品質のバラツキや光ディスクの取り扱い等により実際に書き換え記録できる記録回数にバラツキがあり、規格上の１０００回の書き換え記録ができない場合がある。特に、規格を満たさない光ディスクも市場に出回っていて、１０回も記録しないうちに記録することができなくなってしまうものもある。そのような規格を満たしていない光ディスクの場合、規格上の記録回数以下であってもその光ディスクの自体の記録可能回数を超過すると、光ディスクに記録した情報データが正常に再生できなくなるという問題点があった。また、規格上の記録回数を満たしていない光ディスクが市場に流通していることがユーザには全くわからず、ユーザがそのような光ディスクに所望のテレビ放送番組を予約録画して、予約録画したテレビ放送番組を再生したときに、当該テレビ放送番組が正常に再生されず、ユーザが当該テレビ放送番組を視聴することができないという問題点があった。
背景技術としては、記録媒体上の同一範囲への繰り返し記録の動作の間に、記録データのエラー訂正量が設定された超過判定基準値を越えたことを示すエラー訂正量と同一範囲の記録可能回数の設定を示す判定基準値とから記録可能回数を平均し、繰り返し記録を行った記録回数が記録可能回数に到達した場合に記録媒体上の記録範囲の使用を停止するようにしたものがあった（例えば、特許文献１参照）。
また、光ディスクの繰り返し記録中に記録回数が予め設定された記録回数を越えたときには、光ディスクの劣化を示すエラーを表示し、既に使用済みの光ディスクを初期化する際には、光ディスクの記録回数が予め設定された記録回数より多い場合には記録回数が残り少ない旨を表示し、光ディスクの記録回数が予め設定された記録回数より多い場合にはフォーマット処理を行うようにしたものがあった（例えば、特許文献２参照）。
また、光ディスクの記録領域を複数の単位領域に分割し、各単位領域の記録回数を光ディスクの所定領域に記録し、光ディスクの記録領域に記録を行う際に、記録回数に基づいて記録回数が特定の単位領域に集中しないように記録を行う単位領域を選択するようにしたものがあった（例えば、特許文献３参照）。
【特許文献１】特開平９−１６１４１２号公報
【特許文献２】特開２０００−１４９２５６号公報
【特許文献３】特開２０００−５７６８９号公報
【発明の開示】
【発明が解決しようとする課題】
【０００３】
しかしながら、背景技術で述べたもののうち最初のものにおいては、記録媒体上の同一範囲への繰り返し記録の動作の間に、記録データのエラー訂正量が設定された超過判定基準値を越えたことを示すエラー訂正量と同一範囲の記録可能回数の設定を示す判定基準値とから記録可能回数を平均し、繰り返し記録を行った記録回数が記録可能回数に到達した場合に記録媒体上の記録範囲の使用を停止することができたが、ユーザが事前に記録媒体の残り記録可能回数を知ることができないため、記録媒体にテレビ放送番組の予約録画を行った場合に、その予約録画したテレビ放送番組を視聴することができないという問題点があった。
また、次のものにおいては、光ディスクの繰り返し記録中に記録回数が予め設定された記録回数を越えたときには、光ディスクの劣化を示すエラーを表示し、既に使用済みの光ディスクを初期化する際には、光ディスクの記録回数が予め設定された記録回数より多い場合には記録回数が残り少ない旨を表示し、光ディスクの記録回数が予め設定された記録回数より多い場合にはフォーマット処理を行うことができたが、ユーザが事前に光ディスクの残り記録可能回数を知ることができないため、光ディスクにテレビ放送番組の予約録画を行った場合に、その予約録画したテレビ放送番組を視聴することができないという問題点があった。
また、更に当該次のものにおいては、光ディスクの記録領域を複数の単位領域に分割し、各単位領域の記録回数を光ディスクの所定領域に記録し、光ディスクの記録領域に記録を行う際に、記録回数に基づいて記録回数が特定の単位領域に集中しないように記録を行う単位領域を選択することができたが、ユーザが事前に光ディスクの記録可能な残り記録容量がわからないため、光ディスクにテレビ放送番組の予約録画を行った場合に、光ディスクの残り記録容量が不足して、その予約録画したテレビ放送番組を最後まで視聴することができないという問題点があった。
本発明は、背景技術の有するこのような問題点に鑑みてなされたものであり、その目的とするところは、書き換え型光ディスクの推定残り記録可能回数と光ディスクの記録品質の劣化状態とをユーザに知らせて、テレビ放送番組等の予約録画時の記録ミスを防止することができるディスク装置を提供しようとするものである。
【課題を解決するための手段】
【０００４】
上記目的を達成するため本発明においては、書き換え型光ディスクに情報データを記録再生するディスク装置であって、ディスク装置のファームウェア設計時に、光ディスクのＲＭＡに記録されているＲＭＤを更新し、光ディスクのデータ記録領域の所定アドレスから最終アドレスまでの記録と消去とを繰り返して、ＭＩＤ毎の複数の光ディスクの記録可能回数を蓄積する蓄積手段と、前記蓄積手段により蓄積されたＭＩＤ毎の複数の光ディスクの記録可能回数の統計を取り、ＭＩＤ毎の光ディスクの記録可能回数の劣化推定式を算出して、ＭＩＤ毎の光ディスクの記録可能回数を算出する算出手段と、前記算出手段により算出されたＭＩＤ毎の光ディスクの記録可能回数を記憶する記憶手段と、光ディスクへの情報データの記録時に、光ディスクのＲＭＡに記録されているＭＩＤと記録回数とを読み出す読出手段と、前記読出手段により読み出された光ディスクの記録回数と前記記憶手段に記憶されている当該ＭＩＤの光ディスクの記録可能回数とを比較して、光ディスクの記録回数が当該ＭＩＤの光ディスクの記録可能回数内であるか否かを判別する判別手段と、前記判別手段の判別結果を表示する表示手段とを備える。
更に、前記判別手段により光ディスクの記録回数が当該ＭＩＤの光ディスクの記録可能回数内であると判別された場合、光ディスクに情報データを上書き記録し、光ディスクのＲＭＡに記録されている記録回数に１を加算して、光ディスクの記録回数を更新する更新手段を備える。
前記表示手段は、前記判別手段により光ディスクの記録回数が当該ＭＩＤの光ディスクの記録可能回数内であると判別された場合、光ディスクの推定残り記録可能回数を表示するようにするとよい。
前記表示手段は、前記判別手段により光ディスクの記録回数が当該ＭＩＤの光ディスクの記録可能回数内でないと判別された場合、光ディスクの記録品質が劣化している旨を表示するようにするとよい。
これらの手段により、書き換え型光ディスクの推定残り記録可能回数と光ディスクの記録品質の劣化状態とをユーザに知らせて、テレビ放送番組等の予約録画時の記録ミスを防止することができる。
【発明の効果】
【０００５】
請求項１記載の発明に係るディスク装置によれば、ディスク装置のファームウェア設計時に、光ディスクのＲＭＡに記録されているＲＭＤを更新し、光ディスクのデータ記録領域の所定アドレスから最終アドレスまでの記録と消去とを繰り返して、ＭＩＤ毎の複数の光ディスクの記録可能回数を蓄積し、蓄積されたＭＩＤ毎の複数の光ディスクの記録可能回数の統計を取り、ＭＩＤ毎の光ディスクの記録回数に対する劣化推定式を算出して、ＭＩＤ毎の光ディスクの記録可能回数を算出し、算出されたＭＩＤ毎の光ディスクの記録可能回数を記憶して、光ディスクへの情報データの記録時に、光ディスクのＲＭＡに記録されているＭＩＤと記録回数とを読み出し、読み出された光ディスクの記録回数と当該ＭＩＤの光ディスクの記録可能回数とを比較して、光ディスクの記録回数が当該光ディスクの記録可能回数内であるか否かを判別し、光ディスクの記録回数が当該光ディスクの記録可能回数内であると判別された場合、光ディスクの推定残り記録可能回数を表示し、光ディスクの記録回数が当該光ディスクの記録可能回数内でないと判別された場合、光ディスクの記録品質が劣化している旨を表示し、光ディスクに情報データを上書き記録して、光ディスクのＲＭＡに記録されている記録回数に１を加算して記録回数を更新するようにしているので、書き換え型光ディスクの推定残り記録可能回数と光ディスクの記録品質の劣化状態とをユーザに知らせて、テレビ放送番組等の予約録画時の記録ミスを防止することができ、書き換え型光ディスクに情報データを上書き記録する毎に記録回数を更新して、当該光ディスクの推定残り記録可能回数と光ディスクの記録品質の劣化状態とを管理することができる。
請求項２記載の発明に係るディスク装置によれば、ディスク装置のファームウェア設計時に、光ディスクのＲＭＡに記録されているＲＭＤを更新し、光ディスクのデータ記録領域の所定アドレスから最終アドレスまでの記録と消去とを繰り返して、ＭＩＤ毎の複数の光ディスクの記録可能回数を蓄積し、蓄積されたＭＩＤ毎の複数の光ディスクの記録可能回数の統計を取り、ＭＩＤ毎の記録回数に対する光ディスクの劣化推定式を算出して、ＭＩＤ毎の光ディスクの記録可能回数を算出し、算出されたＭＩＤ毎の光ディスクの記録可能回数を記憶し、光ディスクへの情報データの記録時に、光ディスクのＲＭＡに記録されているＭＩＤと記録回数とを読み出して、読み出された光ディスクの記録回数と記憶されている当該ＭＩＤの光ディスクの記録可能回数とを比較し、光ディスクの記録回数が当該光ディスクの記録可能回数内であるか否かを判別して判別結果を表示するようにしているので、書き換え型光ディスクへのテレビ放送番組等の情報データの予約録画時にユーザが光ディスクの劣化状態を知ることができ、テレビ放送の予約録画の記録ミスを防止することができる。
請求項３記載の発明に係るディスク装置によれば、光ディスクの記録回数が当該ＭＩＤの光ディスクの記録可能回数内であると判別された場合、光ディスクに情報データを上書き記録して、光ディスクのＲＭＡに記録されている記録回数に１を加算して記録回数を更新するようにしているので、書き換え型光ディスクに情報データを上書き記録する毎に記録回数を更新して、当該光ディスクの推定残り記録可能回数と光ディスクの記録品質の劣化状態とを管理することができる。
請求項４記載の発明に係るディスク装置によれば、光ディスクの記録回数が当該光ディスクの記録可能回数内であると判別された場合、光ディスクの推定残り記録可能回数を表示するようにしているので、書き換え型光ディスクの推定残り記録可能回数をユーザに知らせることができる。
請求項５記載の発明に係るディスク装置によれば、光ディスクの記録回数が当該ＭＩＤの光ディスクの記録可能回数内でないと判別された場合、光ディスクの記録品質が劣化している旨を表示するようにしているので、書き換え型光ディスクの記録品質の劣化状態をユーザに知らせて、その光ディスクにテレビ放送番組ほ予約録画した場合に、予約録画したテレビ放送番組が正常に再生されないことをユーザに知らせることができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は光ディスクの各領域を示す説明図であり、図３は本発明の一実施例のディスク装置の光ディスクの劣化推定式の算出動作を示すフローチャートであり、図４は本発明の一実施例のディスク装置の記録動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２の記録面にレーザ光を照射し、当該反射光を検出して光ディスク２に記録された情報データを読み出す光ピックアップ３と、光ディスク２を回転させるスピンドルモータ４と、光ピックアップ３を光ディスク２の半径方向に移動させるスレッドモータ５と、スピンドルモータ４の回転速度をサーボ制御し、スレッドモータ５の回転方向と回転速度とをサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された情報データのＲＦ（Ｒａｄｉｏ  Ｆｒｅｑｕｅｎｃｙ）信号を増幅するとともに、光ディスク２に記録する情報データのＲＦ信号を増幅するＲＦ増幅回路７と、アンテナ１４により受信されたテレビ放送電波から選択されたチャンネルのテレビ放送番組を受信するチューナ８と、光ピックアップ３により読み出された情報データを基準クロックに基づいて同期検出して復調し、復調された情報データの誤りを訂正して、所定の圧縮方式に基づいて圧縮された情報データを伸張し、復号して情報データ再生するとともに、チューナ８により受信されたテレビ放送番組の情報データを符号化して、符号化された情報データを所定の圧縮方式に基づいて圧縮する信号処理回路９と、文字情報信号を映像信号に重畳して、モニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路１０と、ディスク装置１のシステム全体を制御するマイコン１１と、ディスク装置１のファームウェア等を記憶する不揮発性メモリのフラッシュＲＯＭ（Ｒｅａｄ−Ｏｎｌｙ  Ｍｅｍｏｒｙ）１２と、リモコン装置２０から送信された赤外線信号のリモコン信号を受信して、所定の電気信号に変換するリモコン受信部１３とで構成されている。
以上のように構成されたディスク装置について、以下当該動作について説明する。
ディスク装置１のファームウェア設計時に、ＭＩＤ（Ｍａｎｕｆａｃｔｕｒｅｒ  ＩＤ）毎の光ディスクの記録回数を蓄積するため、オペレータがディスク装置１に光ディスク２を装着してリモコン装置２０のキー操作により記録が指令されると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させ、光ピックアップ３により光ディスク２のリードイン領域２ｂの内側のＲＭＡ（Ｒｅｃｏｒｄｉｎｇ  Ｍａｎａｇｅｍｅｎｔ  Ａｒｅａ）２ａ（図２参照）に記録されているＭＩＤを読み出して、光ディスク２のＲＭＡ２ａに記録されているＲＭＤ（Ｒｅｃｏｒｄｉｎｇ  Ｍａｎａｇｅｍｅｎｔ  Ｄａｔａ）を更新し、光ディスク２のリードイン領域２ｂとリードアウト領域２ｄとの間のデータ記録領域２ｃの所定アドレス、例えば、１６進数で２０４３０Ｈから最終アドレスまでの記録と消去とを繰り返して、ＭＩＤ毎の複数の光ディスクの記録回数を蓄積する。そして、ＭＩＤ毎の複数の光ディスクの記録回数が蓄積されると、マイコン１１は、ＭＩＤ毎の複数の光ディスクの記録回数の統計を取り、記録回数による光ディスクの劣化推定式を算出して、ＭＩＤ毎の光ディスクの平均記録可能回数のディスク固有データをフラッシュＲＯＭ１２に書き込む。
ユーザがディスク装置１に光ディスク２を装着すると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させ、光ピックアップ３により光ディスク２のＲＭＡ２ａに記録されているＭＩＤと記録回数とを読み出して（図２参照）、光ディスク２の記録回数とフラッシュＲＯＭ１２に書き込まれている当該ＭＩＤの光ディスクの記録可能回数とを比較し、ディスク装置１に装着された光ディスク２の残り記録回数を推定して、光ディスク２の記録回数が当該光ディスクの記録可能回数内であるか否かを判別し、光ディスク２の記録回数が当該光ディスクの記録可能回数内である場合、ＯＳＤ回路１０に文字情報信号と制御信号とを送出して、ディスク装置１に装着された光ディスク２の推定残り記録可能回数をモニタ装置３０の画面に表示し（図示せず）、光ディスク２の推定残り記録可能回数をユーザに知らせる。そして、光ディスク２への情報データの記録が指令されると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させて、光ピックアップ３により光ディスク２のデータ記録領域２ｃ（図２参照）に情報データを上書き記録し、光ディスク２のＲＭＡ２ａに記録されている記録回数に１を加算して記録回数を更新する。
また、ディスク装置１に装着された光ディスク２の記録回数が当該光ディスクの記録可能回数内でない場合、マイコン１１は、ＯＳＤ回路１０に文字情報信号と制御信号とを送出して、ディスク装置１に装着された光ディスクの記録品質が劣化している旨をモニタ装置３０の画面に表示して（図示せず）、ディスク装置１に装着された光ディスク２の記録回数が当該光ディスクの推定残り記録可能回数を越えていることをユーザに知らせる。
また、図３の本発明の一実施例のディスク装置の光ディスクの劣化推定式の算出動作を示すフローチャートを基に説明する。
ディスク装置のファームウェア設計時に、ＭＩＤ毎の光ディスクの記録回数を蓄積するため、オペレータがディスク装置に光ディスクを装着して記録を指令すると、ステップＳ１からステップＳ２に進み、ステップＳ２で、光ディスクのＲＭＡに記録されているＭＩＤが読み出されて、ステップＳ３に進む。
ステップＳ３で、光ディスクのデータ記録領域の所定アドレスから最終アドレスまでの記録、再生、消去が繰り返されて、ＭＩＤ毎の光ディスクの記録回数が蓄積され、ステップＳ４に進む。
ステップＳ４で、ＭＩＤ毎の光ディスクの記録回数の統計が取られ、記録回数による光ディスクの劣化推定式が算出されて、ステップＳ５に進む。
ステップＳ５で、記録回数による光ディスクの劣化推定式に基づいてＭＩＤ毎の光ディスクの平均記録可能回数のディスク固有データがメモリに書き込まれ、ステップＳ６に進んで処理を終了する。
また、図４の本発明の一実施例のディスク装置の記録動作を示すフローチャートを基に説明する。
ユーザがディスク装置に光ディスクを装着すると、ステップＳ１１からステップＳ１２に進み、ステップＳ１２で、光ディスクのＲＭＡに記録されているＭＩＤと記録回数とが読み出されて、光ディスクの記録回数とメモリに書き込まれている当該ＭＩＤの光ディスクの記録可能回数とが比較され、ディスク装置に装着された光ディスクの残り記録回数が平均されて、ステップＳ１３に進む。
ステップＳ１３で、光ディスクの記録回数が当該ＭＩＤの光ディスクの記録可能回数内であるか否かが判断され、光ディスクの記録回数が当該ＭＩＤの光ディスクの記録可能回数内である場合、ステップＳ１４に進み、光ディスクの記録回数が当該ＭＩＤの光ディスクの記録可能回数内でない場合、ステップＳ１７に進む。
ステップＳ１４で、ディスク装置に装着された光ディスクの推定残り記録可能回数がモニタ装置の画面に表示されて、ステップＳ１５に進む。
ステップＳ１５で、光ディスクへの情報データの記録が指令されたか否かが判断され、光ディスクへの情報データの記録が指令された場合、ステップＳ１６に進み、光ディスクへの情報データの記録が指令されない場合、ステップＳ１８に進んで処理を終了する。
ステップＳ１６で、光ディスクに情報データが記録され、光ディスクのＲＭＡに記録されている記録回数に１が加算されて記録回数が更新されて、ステップＳ１８に進んで処理を終了する。
ステップＳ１７で、ディスク装置に装着された光ディスクの記録品質が劣化している旨がモニタ装置の画面に表示され、ステップＳ１８に進んで処理を終了する。
以上、本発明を実施するための最良の形態について詳述したが、本発明はこれに限定されるものではなく、当業者の通常の知識の範囲内で当該変形や改良が可能であることはいうまでもない。例えば、光ディスクのＲＭＡに記録されている記録回数に基づいて光ディスクの記録品質の劣化状態をユーザに知らせることを説明したが、光ディスクのＲＭＡのＲＭＤのディスク固有情報（Ｕｎｉｑｕｅ  Ｄｉｓｃ  ＩＤ）と当該光ディスクの記録回数をディスク装置のフラッシュＲＯＭに記憶して、ユーザが所有する光ディスクの中から記録可能な光ディスクをモニタ装置の画面に表示するようにしてもよい。この場合、ユーザが所有しているどの光ディスクが使用可能であるかの情報をユーザに提供することができる。
【図面の簡単な説明】
【０００７】
【図１】本発明の一実施例のディスク装置の構成を示すブロック図である。
【図２】光ディスクの各領域を示す説明図である。
【図３】本発明の一実施例のディスク装置の光ディスクの劣化推定式の算出動作を示すフローチャートである。
【図４】本発明の一実施例のディスク装置の記録動作を示すフローチャートである。
【符号の説明】
【０００８】
１  ディスク装置
２  光ディスク
２ａ  ＲＭＡ
２ｂ  リードイン領域
２ｃ  データ記録領域
２ｄ  リードアウト領域
３  光ピックアップ
４  スピンドルモータ
５  スレッドモータ
６  サーボ回路
７  ＲＦ増幅回路
８  チューナ
９  信号処理回路
１０  ＯＳＤ回路
１１  マイコン
１２  フラッシュＲＯＭ
１３  リモコン受信部
１４  アンテナ
２０  リモコン装置
３０  モニタ装置
【図１】
2006196101.tif 000003
【図２】
2006196101.tif 000004
【図３】
2006196101.tif 000005
【図４】
2006196101.tif 000006